【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】  被写体を撮像し、撮像データを得る撮像手段と、前記撮像データに対して画像処理を施して画像データを得る画像処理手段とを有し、前記画像データを複数の記憶手段に記憶させる撮像装置であって、
前記複数の記憶手段のそれぞれに対応付けて画像処理条件を設定するための設定手段と、
前記複数の記憶手段のうち、少なくとも１つを画像データの記憶先として選択する選択手段と
を有し、
前記画像処理手段は、前記画像データの記憶先として選択された少なくとも１つの記憶手段のそれぞれに設定された前記画像処理条件を用いて前記画像処理を行うことを特徴とする撮像装置。
【請求項２】  前記選択手段により、前記複数の記憶手段に前記画像データが記憶されるように記憶先が選択された場合には、前記画像処理手段は、記憶先の前記記憶手段のそれぞれに設定された前記画像処理条件を用いて複数回の前記画像処理を行うことを特徴とする請求項１に記載の撮像装置。
【請求項３】  前記画像処理条件が、画像のサイズ又は画像の圧縮に関する条件を含むことを特徴とする請求項１又は２に記載の撮像装置。
【請求項４】  被写体を撮像し、撮像データを得る撮像手段と、前記撮像データに対して画像処理を施して画像データを得る画像処理手段とを有し、前記画像データを少なくとも１つの記憶手段に記憶させる撮像装置であって、
前記画像データを外部に送信するための通信手段と、
前記少なくとも１つの記憶手段及び前記通信手段のそれぞれに対応づけて画像処理条件を設定するための設定手段と、
前記少なくとも１つの記憶手段及び前記通信手段のうち、少なくとも１つを前記画像データの出力先として選択するための選択手段と
を有し、
前記画像処理手段は、前記画像データの出力先として選択された少なくとも１つの記憶手段又は通信手段のそれぞれに設定された前記画像処理条件を用いて前記画像処理を行うことを特徴とする撮像装置。
【請求項５】  被写体を撮像して撮像データを得て、前記撮像データに対して画像処理を施して画像データを得て、前記画像データを複数の記憶手段に記憶させる撮像方法であって、
前記複数の記憶手段のそれぞれに対応付けて画像処理条件を設定し、
前記複数の記憶手段のうち、少なくとも１つを画像データの記憶先として選択し、
前記画像データの記憶先として選択された少なくとも１つの前記記憶手段のそれぞれに設定された前記画像処理条件を用いて、前記画像処理を行うことを特徴とする撮像方法。
【請求項６】  被写体を撮像して撮像データを得て、前記撮像データに対して画像処理を施して画像データを得て、前記画像データを少なくとも１つの記憶手段に記憶させる撮像方法であって、
前記画像データを外部に送信するための通信手段を用いて、
前記少なくとも１つの記憶手段及び前記通信手段のそれぞれに対応づけて画像処理条件を設定し、
前記少なくとも１つの記憶手段及び前記通信手段のうち、少なくとも１つを前記画像データの出力先として選択し、
前記画像データの出力先として選択された前記少なくとも１つの記憶手段又は前記通信手段のそれぞれに設定された前記画像処理条件を用いて、前記画像処理を行うことを特徴とする撮像方法。
【手続補正２】
【補正対象書類名】明細書
【補正対象項目名】０００８
【補正方法】変更
【補正の内容】
【０００８】
【課題を解決するための手段】
上述した課題を解決すべく、本発明の撮像装置は、被写体を撮像し、撮像データを得る撮像手段と、前記撮像データに対して画像処理を施して画像データを得る画像処理手段とを有し、前記画像データを複数の記憶手段に記憶させる撮像装置であって、前記複数の記憶手段のそれぞれに対応付けて画像処理条件を設定するための設定手段と、前記複数の記憶手段のうち、少なくとも１つを画像データの記憶先として選択する選択手段とを有し、前記画像処理手段は、前記画像データの記憶先として選択された少なくとも１つの記憶手段のそれぞれに設定された前記画像処理条件を用いて前記画像処理を行う。
【手続補正３】
【補正対象書類名】明細書
【補正対象項目名】０００９
【補正方法】変更
【補正の内容】
【０００９】
本発明の撮像装置の一態様では、前記選択手段により、前記複数の記憶手段に前記画像データが記憶されるように記憶先が選択された場合には、前記画像処理手段は、記憶先の前記記憶手段のそれぞれに設定された前記画像処理条件を用いて複数回の前記画像処理を行う。
【手続補正４】
【補正対象書類名】明細書
【補正対象項目名】００１０
【補正方法】変更
【補正の内容】
【００１０】
本発明の撮像装置の一態様では、前記画像処理条件が、画像のサイズ又は画像の圧縮に関する条件を含む。
【手続補正５】
【補正対象書類名】明細書
【補正対象項目名】００１１
【補正方法】変更
【補正の内容】
【００１１】
本発明の撮像装置は、被写体を撮像し、撮像データを得る撮像手段と、前記撮像データに対して画像処理を施して画像データを得る画像処理手段とを有し、前記画像データを少なくとも１つの記憶手段に記憶させる撮像装置であって、前記画像データを外部に送信するための通信手段と、前記少なくとも１つの記憶手段及び前記通信手段のそれぞれに対応づけて画像処理条件を設定するための設定手段と、前記少なくとも１つの記憶手段及び前記通信手段のうち、少なくとも１つを前記画像データの出力先として選択するための選択手段とを有し、前記画像処理手段は、前記画像データの出力先として選択された少なくとも１つの記憶手段又は通信手段のそれぞれに設定された前記画像処理条件を用いて前記画像処理を行う。
【手続補正６】
【補正対象書類名】明細書
【補正対象項目名】００１２
【補正方法】変更
【補正の内容】
【００１２】
本発明の撮像方法は、被写体を撮像して撮像データを得て、前記撮像データに対して画像処理を施して画像データを得て、前記画像データを複数の記憶手段に記憶させる撮像方法であって、前記複数の記憶手段のそれぞれに対応付けて画像処理条件を設定し、前記複数の記憶手段のうち、少なくとも１つを画像データの記憶先として選択し、前記画像データの記憶先として選択された少なくとも１つの前記記憶手段のそれぞれに設定された前記画像処理条件を用いて、前記画像処理を行う。
【手続補正７】
【補正対象書類名】明細書
【補正対象項目名】００１３
【補正方法】変更
【補正の内容】
【００１３】
本発明の撮像方法は、被写体を撮像して撮像データを得て、前記撮像データに対して画像処理を施して画像データを得て、前記画像データを少なくとも１つの記憶手段に記憶させる撮像方法であって、前記画像データを外部に送信するための通信手段を用いて、前記少なくとも１つの記憶手段及び前記通信手段のそれぞれに対応づけて画像処理条件を設定し、前記少なくとも１つの記憶手段及び前記通信手段のうち、少なくとも１つを前記画像データの出力先として選択し、前記画像データの出力先として選択された前記少なくとも１つの記憶手段又は前記通信手段のそれぞれに設定された前記画像処理条件を用いて、前記画像処理を行う。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４７
【補正方法】変更
【補正の内容】
【００４７】
本実施の形態においては、第１の記憶媒体１１１は大容量の記憶媒体であり、第１の画像処理パラメータ１２１に対し、画像処理パラメータ設定手段１０６により、画像サイズが大きく且つ低圧縮率（詳細画像モード）の設定が行われる。一方、第２の記憶媒体１１２は小容量の記憶媒体であり、第２の画像処理パラメータ１２２に対しては、画像サイズは標準（第１の画像処理パラメータ１２１の画像サイズより小さい）で且つ高圧縮率（粗い画像モード）の設定が行われる。記憶媒体選択手段１０７により、メモ的に粗く小さいサイズの画像データを撮影する時は第２の記憶媒体１１２を選択し、詳細で大きいサイズの画像データを撮影する時は第１の記憶媒体１１１を選択する。